【事件の表示】
　平成１０年特許願第　１４８０３号「パチンコ機」拒絶査定不服審判事件〔平成１１年　７月２７日出願公開、特開平１１−１９７３３３〕について、次のとおり審決する。
【結　論】
　本件審判の請求は、成り立たない。
【理　由】
【１】手続の経緯及び本願発明 
　本願は、平成１０年１月８日に出願され、平成１３年５月３０日付けの拒絶理由通知に対し平成１３年７月２６日付けで手続補正がなされ、平成１４年２月２０日付けで拒絶査定がなされ、これに対し、同年３月２０日付けで審判請求がなされたものであって、その特許請求の範囲の請求項１に記載された発明（以下、「本願発明」という。）は、平成１３年７月２６日付けの手続き補正書により補正された明細書及び図面の記載からみて、以下のとおりである。
　　　　　
「【請求項１】　裏面に玉寄せ板を備えた遊技盤の、その裏面を覆うようにして機構板が開閉可能に配設され、該機構板に形成された開口部に、制御基板を収納した制御ボックスが、その一側端が前記機構板上に重なるようにして配設されるパチンコ機であって、
　前記遊技盤の裏面に基部を固定した支持ベースを、前記玉寄せ板を跨ぐようにして配設し、該支持ベースを介して装着板を前記玉寄せ板上に非接触状に支持するとともに、該装着板の遊技盤中央寄りの一側端を支持ベースに対して回動可能に枢結し、該装着板に前記制御ボックスを装着すると共に、該制御ボックスを、その回動位置で、機構板の開口部の開閉軌跡内に退避することとなるように位置決めしたことを特徴とするパチンコ機。」
　　　　　　
【２】引用例に記載の発明
　原査定の拒絶の理由に引用され、本願の出願日前に頒布された特開平６−７５０２号公報（以下、「引用例」という。）には、図面とともに、以下の技術事項が記載されている。
１−（ア）「・・・本発明は、遊技盤の裏面側に取り付けた回路ボックス取付部材を備え、この回路ボックス取付部材には取付係合受部を設け、上記回路ボックスには上記取付係合受部に係合する取付係合片を設けて、上記回路ボックス取付部材と当該回路ボックスとを着脱可能となし、上記回路ボックスを機構枠セット部材に止着するリヤカバーの内側に位置させると共に、該リヤカバーの側方に側部開口窓を開設し、当該回路ボックスの着脱を上記側部開口窓を通して水平方向に行なうようにした。」（段落【０００４】）
１−（イ）「・・・図２はパチンコ機１の背面図であって、上記前面枠２の背面側には、遊技盤１６を着脱自在に収納する皿枠状の金属板からなるリヤプレート２９を添設し、このリヤプレート２９の背面側にはベース本体３０等の機構枠体を設ける。尚、この機構枠体はパチンコ機１の背面側における主要部材を前面枠２の裏面側に取り付けるための部材の総称である。・・・」（段落【０００８】）
１−（ウ）「・・・パチンコ機１の背面図においては、遊技盤１６の裏面側の所定位置、例えば遊技盤１６の裏面に向かって左側部分には、遊技盤１６の前面側に配置する可変表示装置１９や変動入賞装置２０等、主にパチンコ遊技に関する制御を行なう遊技盤制御回路を収設する回路ボックス３７が現れ、・・・」（段落【０００９】）
１−（エ）「・・・リヤプレート２９には蝶番を介して機構枠体の一種である機構枠セット部材３８を開閉可能に蝶着する。そして、この機構枠セット部材３８には閉止時にリヤプレート２９の所定部分を覆う部材であるリヤカバー４２を止着し、上記機構枠セット部材３８と共に開閉可能とする。・・・」（段落【００１０】）
１−（オ）「リヤカバー４２は、機構枠セット部材３８に一体に取り付けられると共に、一対の止着具４８ａ，４８ｂによりリヤプレート２９に対して着脱自在に止着される合成樹脂で一体成形した部材である。即ち、一側を上記機構枠セット部材３８に止着することにより、他側が自由端となって機構枠セット部材３８と一体に開閉され、遊技盤１６の後方を覆うことができる。・・・」（段落【００１１】）
１−（カ）「リヤカバー４２の背板部４２ａには開口窓５５を開設する。この開口窓５５は、遊技盤１６の裏面側に設けた入賞球集合カバー５６に対応する部分と、遊技盤１６の裏面側に設けた回路ボックス３７に対応する部分とからなる。尚、図示の実施例では、回路ボックス３７に対応する部分の側方が側部開口窓５７として開口している。」（段落【００１５】）
１−（キ）「本発明に係る上記回路ボックス３７は、例えば図７に示すように、深皿状のケース本体７１と浅皿状のベース体７２とからなる。そして、回路基板８４は、多層プリント配線板からなる立体配線処理が実行されていると共に、アース線が幅広に形成されているので、外部からのノイズの飛込を押えることができる。これによりケース本体７１及びベース体７２にシールド板を添設する必要がないので、回路基板８４を可視可能なように透明な合成樹脂で成形できる。」（段落【００２２】）
１−（ク）「・・・上記のような構成のケース本体７１とベース体７２、及び回路基板８４を組み立てるには、回路基板８４に開設した位置決め孔にベース体７２の止着ボスを嵌合させると共に、基板ガイドに回路基板８４の側縁を沿わせて、基板係止爪８５に回路基板８４の側縁を係止させる。そして、ケース本体７１をベース体７２の嵌合縁８２に臨ませて押圧し、ベース体７２の係止爪７７をケース本体７１の係止孔７６に係止させ、止着片８１の止着孔８０と回路基板８４の止着孔８６とに通したビス８７をベース体７２の止着ボス８８に螺着する。」（段落【００２９】）
１−（ケ）「・・・回路ボックス３７を、遊技盤１６の所定位置に着脱自在に止着するための回路ボックス取付部材８９は、回路ボックス３７を遊技盤１６から浮かせて他の部材の邪魔にならないように取り付ける。このため、回路ボックス取付部材８９は、正面図または背面図形状をほゞ矩形に形成した取付板部９０の外縁から遊技盤１６に向けて脚壁部９１を立設し、該脚壁部９１の先端にフランジ状の取付片９２を設けてなる。この取付片９２には適宜位置に位置決め手段、例えば位置決めボス９２ａを突設し、この位置決めボス９２ａを遊技盤１６の裏面側に対応して設けた位置決め凹部に嵌合させて位置を規制する。また、上記取付片９２の適宜位置に取付透孔９２ｂを開設し、この取付透孔９２ｂに通したビス等で遊技盤１６に止着する。尚、図示の実施例における脚壁部９１は、パチンコ機１の背面側から見て右側面が開放するようになっている。・・・」（段落【００３０】）
１−（コ）「・・取付板部９０には、前記した回路ボックス３７を着脱可能に止着する止着手段を設ける。・・」（段落【００３１】）
　以上、１−（ア）乃至１−（コ）の記載、及び【図７】からみて、「引用例」には、以下の発明が記載されているものと認められる。（以下、「引用発明」という。） 
　　　　　
＜引用発明＞
「裏面側に入賞球集合カバー５６が設けられた遊技盤１６の、後方を覆うことができる機構枠セット部材３８とこれに一体に取り付けられたリヤカバー４２がリヤプレート２９に開閉可能に蝶着され、リヤカバー４２に開設された開口窓５５が回路基盤８４を収納した回路ボックス３７に対応するパチンコ機１であって、遊技盤１６の裏面側に取付片９２で止着した回路ボックス取付部材８９を配設し、該回路ボックス取付部材８９の取付板部９０に回路ボッスクス３７を着脱可能に止着したパチンコ機１。」　　　　　　
　　　 　
【３】対比・判断 
１．本願発明について 
（ア）本願発明と引用発明との対比 
　本願発明と引用発明とを対比すると、引用発明の「裏面側に入賞球集合カバー５６が設けられた遊技盤１６」、「パチンコ機１」、「遊技盤１６の裏面側に取付片９２で止着した回路ボックス取付部材８９」、「回路ボックス３７」が、本願発明の「裏面に玉寄せ板を備えた遊技盤」、「パチンコ機」、「遊技盤の裏面に基部を固定した支持ベース」、「制御ボックス」に相当する。
　また、引用発明に関する上記記載事項、１−（エ）「・・リヤプレート２９には蝶番を介して機構枠体の一種である機構枠セット部材３８を開閉可能に蝶着する。」、上記記載事項１−（オ）「リヤカバー４２は、機構枠セット部材３８に一体に取り付けられると共に、・・機構枠セット部材３８と一体に開閉され、遊技盤１６の後方を覆うことができる。・・」なる記載から、「機構枠セット部材３８」及び「リヤカバー４２」が、本願発明の「機構板」に相当し、且つ「遊技盤の、その裏面を覆うようにして機構板が開閉可能に配設され」ることは明らかである。
　そして、上記記載事項１−（カ）「リヤカバー４２の背板部４２ａには開口窓５５を開設する。この開口窓５５は、・・・遊技盤１６の裏面側に設けた回路ボックス３７に対応する部分とからなる。」なる記載、及び【図４】、【図５】からみて、「回路ボックス３７」は機構板に開口する開口窓５５に配設されており、一方、本願発明の「制御ボックス」も機構板に形成された開口部に配設されることになるから、引用発明の「回路ボックス３７」と本願発明の「制御ボックス」は、「機構板に形成された開口部に、制御基板を収納した制御ボックスが配設される」点で共通する構成を備えているといえる。
　さらに、上記記載事項１−（ケ）「・・回路ボックス取付部材８９は、回路ボックス３７を遊技盤１６から浮かせて他の部材の邪魔にならないように取り付ける。このため、回路ボックス取付部材８９は、正面図または背面図形状をほゞ矩形に形成した取付板部９０の外縁から遊技盤１６に向けて脚壁部９１を立設し、該脚壁部９１の先端にフランジ状の取付片９２を設けてなる。・・」、同じく上記記載事項１−（コ）「・・取付板部９０には、前記した回路ボックス３７を着脱可能に止着する止着手段を設ける。・・」なる記載から、「回路ボックス３７」は回路ボック取付部材８９を介して遊技盤１６上に非接触状態に配設されており、一方、本願発明の「制御ボックス」も支持ベースを介して遊技盤上に非接触状態で配設されることになるから、引用発明の「回路ボックス３７」と本願発明の「制御ボックス」は、「支持ベースを介して遊技盤上に非接触状態で制御ボックスを配設した」点で共通する構成を備えているといえる。
　　　　
してみると、引用発明と本願発明とは
　　　　　　
「裏面に玉寄せ板を備えた遊技盤の、その裏面を覆うようにして機構板が開閉可能に配設され、該機構板に形成された開口部に、制御基板を収納した制御ボックスが配設されるパチンコ機であって、
　前記遊技盤の裏面に基部を固定した支持ベースを配設し、該支持ベースを介して遊技盤上に非接触状態で前記制御ボックスを配設したパチンコ機。」
　　　　　　
　である点で一致し、以下の点で相違する。 
　　　　　
＜相違点１＞ 
　本願発明は、装着板が遊技盤中央寄りの一側端で支持ベースに回動可能に連結され、装着板には制御ボックスが装着されており、制御ボックスが機構板に形成された開口部に、その一側端が機構板上に重なるように配設され、回動位置で機構板の開口部の回動軌跡内に退避するようにしたのに対し、引用発明は、装着板自体を備えておらず、また、制御ボックスも上記の構成を備えていない点。
　　　　
＜相違点２＞
　本願発明は、支持ベースが玉寄せ板を跨ぐように配設されているのに対し、引用発明は、支持ベースが玉寄せ板を跨ぐように配設されているか否か明らかでない点。
　　　　　
２．相違点についての検討
＜相違点１＞について
　本願発明において装着板と称するところの支持板或いは取り付け部材などの制御ボックスを取り付ける部材が、遊技盤中央寄りの一側端で支持ベースに回動可能に連結され、装着板には制御ボックスが装着されており、制御ボックスが機構板に形成された開口部に、その一側端が機構板上に重なるように配設され、回動位置で機構板の開口部の回動軌跡内に退避できるようにすることは、当該技術分野において従来周知の技術である。（例えば、実願平２−５２３８３号（実開平４−１１０７３号）のマイクロフィルム（第１３頁第１〜１４行）、特公平７−４９０７１号公報（第３頁第６欄第４３行〜第４頁第７欄第３３行）参照）
　そして、引用発明と上記周知技術は、ともに制御ボックスの取り付けに関する点で技術分野が共通するから、引用発明における制御ボックスの取り付けに上記周知技術を採用し、装着板が遊技盤中央寄りの一側端で支持ベースに回動可能に連結され、装着板には制御ボックスが装着されており、制御ボックスが機構板に形成された開口部に、その一側端が機構板上に重なるように配設され、回動位置で機構板の開口部の回動軌跡内に退避できるようにする点は、当業者にとって容易なことである。
　そうすると、引用発明に上記周知技術を適用し、本願発明に係る相違点１を構成することは、当業者であれば容易に想到できたことである。
　そして、本願発明における作用効果は、引用発明、及び周知技術に基づいて当業者が当然予測できるものである。
 　　　
＜相違点２＞について
　本願発明の【発明の詳細な説明】の段落【０００６】、【０００９】、【００１４】によれば、支持ベースが玉寄せ板を跨ぐように配設するのは、制御ボックスと玉寄せ板を非接触に維持させること、即ち、制御ボックスと玉寄せ板を離間させ、玉寄せ板内でパチンコ球の通過で発生する静電気の影響を直接制御ボックスに伝えないことが記載されている。
　ところで、パチンコ球の通過で発生する静電気の影響を直接制御ボックスに伝えないために、静電気の発生する箇所から制御ボックスを離して配設することは、当該技術分野において広く採用される周知技術である。（例えば、特開平７−２１３７２０号公報、段落【００２５】、特開平２−４５０７９号公報、第５頁右上欄第１６行〜同頁左下欄第１０行参照）
　また、制御ボックスを他の部材の邪魔にならないように取り付けるために、制御ボックスを取り付ける部材が他の部材を跨ぐようにすることは、例えば、特開平４−３２５１７４号公報（段落【００２１】、【図３】、【図４】）、特開平６−７９０３１号公報（段落【００６２】、【図３０】、【図３１】）に示されており、周知の技術といえる。
　そして、引用発明と上記両周知技術は、ともに制御ボックスを遊技盤に取り付ける技術において共通するものであり、また、制御ボックスを静電気の発生箇所から離すこと、及び、制御ボックスの取り付ける部材が他の部材の邪魔にならないために跨ぐようにすることは上記したように周知技術であるから、引用発明の支持ベースの遊技盤への取り付けに上記各周知技術を適用し、支持ベースが球寄せ板を跨ぐように配設すること、すなわち本願発明に係る相違点２を構成することは、当業者であれば容易に想到できたことである。
　そして、本願発明における作用効果は、引用発明、及び周知技術に基づいて当業者が当然予測できるものである。
　　　　　
【４】むすび
　以上のとおり、本願発明は、引用例及び周知技術に基づいて当業者が容易に発明をすることができたものであるから、特許法第２９条第２項の規定により特許を受けることができないものであり、他の請求項に係る発明について検討するまでもなく、本願は拒絶すべきものである。
  よって、結論のとおり審決する。